【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
レンズと、
前記レンズに結合された動的視標追跡機構と、
を含む装着型光学装置であって、
前記動的視標追跡機構は、前記装着型光学装置に設けられるとともに装着者の要素を感知するように構成されたカメラを含み、
前記動的視標追跡機構は、毛様体、瞳、角膜、網膜、水晶体、虹彩、まぶた、検眼以外からの測定結果、顔の形に影響する筋肉、のうちの１つ以上に応答するものであり、
前記動的視標追跡機構に追加情報を提供する要素であって、前記動的視標追跡機構への前記追加情報は、前記装着者の知覚パラメータに基づく客観的及び主観的基準に応答するものであり、前記知覚パラメータは、前記装着者の近くの領域からのオーディオ入力、前記装着者からのオーディオ入力、前記装着者からの脳波入力、前記装着者の認識の傾向、前記装着者の顔の傾向、前記装着者の感情又は解釈の傾向、表情、前記装着者の環境の測定結果、空間環境における前記装着者の感知位置、前記装着者の感知ナビゲーション、前記装着者の近くの領域からのビデオ入力、拡張現実感環境における前記装着者の感知傾向、継続時間又は時間トリガ、それらに応じるアルゴリズム的決定、のうちの１つ以上を含む、装着型光学装置。
【請求項２】
前記レンズを制御するよう構成された拡張現実感要素を含み、
前記知覚パラメータに応じて、前記要素は前記装着者の知覚を変更することによって拡張現実感視界を提供する、請求項１に記載の装着型光学装置。
【請求項３】
前記動的視標追跡機構からの出力、前記動的視標追跡機構への前記追加情報、のうちの１つ以上に応じて、前記装着者に個人化されたパラメータを前記装着型光学装置の外部に通信する要素を含む、請求項１又は２に記載の装着型光学装置。
【請求項４】
前記レンズが、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、動的フィルタリング材料、屈折材料のうちの１つ以上を含む、請求項１から３のいずれか１つに記載の装着型光学装置。
【請求項５】
前記動的視標追跡機構に追加情報を提供する前記要素に無線で結合されたセンサを含む、請求項１から４のいずれか１つに記載の装着型光学装置。
【請求項６】
前記動的視標追跡機構に追加情報を提供する前記要素に結合されたセンサ、
を含み、
前記センサが、ジャイロスコープ、加速度計、圧力センサ、トルクセンサ、重量センサ、磁力計、温度センサ、光センサ、カメラ及びマイクロホン、ＧＰＳ、無線検出、高度センサ、血圧、心拍数センサ、生体センサ、無線周波数識別（ＲＦＩＤ）、近距離無線通信（ＮＦＣ）、移動通信、Ｗｉ−Ｆｉ、歪みゲージ、指紋センサ、匂いセンサ、ガスセンサ、化学センサ、色センサ、音センサ、音響センサ、紫外線センサ、電界センサ、磁界センサ、重力センサ、風速センサ、風向センサ、コンパスセンサ、ジオロケータセンサ、偏光センサ、赤外線エミッタセンサのうちの１つ以上を含む、請求項１から５のいずれか１つに記載の装着型光学装置。
【請求項７】
前記動的視標追跡機構に追加情報を提供する前記要素は、超音波、ｘ線、赤外線のうちの１つ以上に応答する、請求項１から６のいずれか１つに記載の装着型光学装置。
【請求項８】
前記動的視標追跡機構、前記動的視標追跡機構に追加情報を提供する前記要素のうちの１つ以上に結合されたアルコールレベル決定要素を含む、請求項１から７のいずれか１つに記載の装着型光学装置。
【請求項９】
前記動的視標追跡機構、前記動的視標追跡機構に追加情報を提供する前記要素のうちの１つ以上に結合された眼診断要素を含み、
前記装着者の角膜、眼水晶体、眼筋、顔の側面における筋肉、のうちの１つ以上の測定が、前記装着者の眼検査となる、請求項１から８のいずれか１つに記載の装着型光学装置。
【請求項１０】
前記動的視標追跡機構に結合されるように構成されたナビゲーション要素と、
前記装着者の指に結合されるように構成された選択要素と、
を含み、
選択は眼の追跡と指の操作との組合せに応答してなされる、請求項１から９のいずれか１つに記載の装着型光学装置。
【請求項１１】
前記指に結合されたクリックナビゲーション機構を含む、請求項１０に記載の装着型光学装置。
【請求項１２】
非視覚スペクトル情報に結合されたセンサと、
前記非視覚スペクトル情報に応じて前記拡張現実感視界の中に可視情報を提示するよう構成された要素と、
を含む、請求項１０又は１１に記載の装着型光学装置。
【請求項１３】
前記装着者の筋肉の動き結合された筋肉センサと、
前記筋肉センサに結合されたスピーチジェネレータと、
を含む、請求項１から１２のいずれか１つに記載の装着型光学装置。
【請求項１４】
前記拡張現実感視界が、ズーム機能、顕微鏡機能、拡大機能、照明機能、網膜投射機能のうちの１つ以上を含む、請求項２から１３のいずれか１つに記載の装着型光学装置。
【請求項１５】
前記レンズに結合され、或る光波に対して作用し、照明ノイズの減少、光の偏光又は偏光解消、前記装着者の知覚の変更、のうちの１つ以上の効果を奏するように構成されたフィルタを含む、請求項１から１４のいずれか１つに記載の装着型光学装置。
【請求項１６】
前記拡張現実感視界が、前記装着者についての人口統計的情報のセットに応答するものであり、
前記人口統計的情報は、データベースから受け取った情報、前記装着者によって提供された情報、ソーシャルネットワークから集められた情報、前記装着者と他者との間のメッセージから集められた情報、のうちの１つ以上を含む、請求項２から１５のいずれか１つに記載の装着型光学装置。
【請求項１７】
前記拡張現実感視界が、前記装着者が見る対象物又は人物の特徴に応答するものであり、
前記拡張現実感視界が、データベースから受け取った情報、前記装着者によって提供された情報、ソーシャルネットワークから集められた情報、前記装着者と他者との間のメッセージから集められた情報、のうちの１つ以上に結合される、請求項２から１６のいずれか１つに記載の装着型光学装置。
【請求項１８】
前記拡張現実感視界が、ゲーム環境に応答するものであり、
前記ゲーム環境は、装着型光学装置に結合する１つ以上の制御に応答するものである、請求項２から１７のいずれか１つに記載の装着型光学装置。
【請求項１９】
前記拡張現実感要素は、患者の歯の特徴を受け取るように構成されており、
前記拡張現実感視界は、装着者が歯科処置を前記患者に実行するのに適している、請求項２から１８のいずれか１つに記載の装着型光学装置。
【請求項２０】
前記歯科処置が、歯を削ること、抜歯、歯の掃除、及び根管のうちの１つ以上を含む、請求項１９に記載の装着型光学装置。
【請求項２１】
前記歯科処置の結果を、前記装着型光学装置の外部に通信する要素を含む、請求項１９又は２０に記載の装着型光学装置。
【請求項２２】
前記拡張現実感要素は、前記動的視標追跡機構、前記動的視標追跡機構への前記追加情報、のうちの１つ以上に応じて広告を識別する情報を受け取るように構成されており、
前記拡張現実感視界は、広告を識別する前記情報によって識別された前記広告を含む、請求項２から２１のいずれか１つに記載の装着型光学装置。
【請求項２３】
前記広告は、前記動的視標追跡機構、前記装着者と製品の相対位置、のうちの１つ以上に応じて前記張現実感視界の中に配置される、請求項２２に記載の装着型光学装置。
【請求項２４】
前記広告に対する前記装着者の反応を、前記装着型光学装置の外部へ通信する要素を含む、請求項２２又は２３に記載の装着型光学装置。
【請求項２５】
バーコードセンサを含み、
前記広告は前記バーコードセンサに応じて前記張現実感視界の中に配置される、請求項２２から２４のいずれか１つに記載の装着型光学装置。
【請求項２６】
オンライン又はモバイル購買要素を含み、
前記拡張現実感ディスプレイが、前記オンライン又はモバイル購買要素に応答する、請求項２から２５のいずれか１つに記載の装着型光学装置。
【請求項２７】
前記オンライン又はモバイル購買要素が、ＲＦＩＤ又はＮＦＣ通信要素を含む、請求項２６に記載の装着型光学装置。
【請求項２８】
前記拡張現実感要素は、前記動的視標追跡機構、前記動的視標追跡機構への前記追加情報、のうちの１つ以上に応じて可視シンボルを識別する情報を受け取るように構成されており、
前記拡張現実感視界は、前記シンボルの翻訳を含む、請求項２から２７のいずれか１つに記載の装着型光学装置。
【請求項２９】
前記可視シンボルは、広告、識別シンボル、道路標識、のうちの１つ以上を含み、
前記拡張現実感視界は、前記可視シンボルの少なくとも一部に重なる、請求項２８に記載の装着型光学装置。
【請求項３０】
前記動的視標追跡機構、前記動的視標追跡機構へ追加情報を提供する前記要素、及び、前記装着型光学装置の外部へ通信する前記要素は、装着型ヘッドセットの中に配置されている、請求項１から２９のいずれか１つに記載の装着型光学装置。
【請求項３１】
前記動的視標追跡機構、前記動的視標追跡機構へ追加情報を提供する前記要素、のうちの１つ以上に結合された音波機構を含む、請求項１から３０のいずれか１つに記載の装着型光学装置。
【請求項３２】
前記動的視標追跡機構へ追加情報を提供する前記要素に結合されたセンサを含み、
前記センサが、フレームに接続されるイヤピースを含む、請求項１から３１のいずれか１つに記載の装着型光学装置。
【請求項３３】
前記動的視標追跡機構へ追加情報を提供する前記要素に結合されたセンサと、
前記センサに結合され、音響ボリューム、音響焦点のうちの１つ以上を調整するように構成されたスピーカと、
を含み、
前記センサは、フレームに接続されたイヤピースを含み、
前記センサは、前記耳筋に結合された測定装置を含む、請求項１から３２のいずれか１つに記載の装着型光学装置。
【請求項３４】
イヤピースを含み、前記イヤピースはマイクロホン及びスピーカを含み、前記マイクロホン及びスピーカは音響ノイズキャンセルのために構成されている、請求項１から３３のいずれか１つに記載の装着型光学装置。
【請求項３５】
前記装着者にオーディオを提供するよう構成されたスピーカを含み、
前記スピーカは、前記動的視標追跡機構、前記動的視標追跡機構への前記追加情報、及び、前記拡張現実感視界、のうちの１つ以上に応答する、請求項２から３４のいずれか１つに記載の装着型光学装置。
【請求項３６】
前記スピーカが、前記動的視標追跡機構に応じてオーディオ焦点を提供する、請求項３５に記載の装着型光学装置。
【請求項３７】
前記スピーカが、前記動的視標追跡機構に応じてノイズキャンセル又はノイズ低減を提供し、
前記装着者に見られる対象物の外部の音源、選択された領域の外部の音源、のうちの１つ以上の音源が削減又は低減されるが、請求項３５又は３６に記載の装着型光学装置。
【請求項３８】
前記スピーカが、周囲のオーディオ及びソースのオーディオの混合物を提供する、請求項３５から３７のいずれか１つに記載の装着型光学装置。
【請求項３９】
振動又は他の触覚刺激を前記装着者に提供するように構成された振動要素を含み、
前記振動要素は、前記動的視標追跡機構、前記動的視標追跡機構への前記追加情報、前記拡張現実感視界、のうちの１つ以上に応答する、請求項２から３８のいずれか１つに記載の装着型光学装置。
【請求項４０】
前記振動要素は、オーディオの高品質知覚を提供するように構成される、請求項３９に記載の装着型光学装置。
【請求項４１】
装着者の近くの話者を検知するよう構成されたマイクロホンを含み、
前記拡張現実感視界は、前記話者の識別を含む、請求項２から４０のいずれか１つに記載の装着型光学装置。
【請求項４２】
前記動的視標追跡機構、前記動的視標追跡機構へ追加情報を提供する前記要素、前記拡張現実感視界、のうちの１つ以上に結合されたメッセージ要素を含み、
前記メッセージ要素は、視線、顔認識、音声認識のうちの１つ以上に応じてメッセージを送信又は受信するよう構成されている、請求項２から４１のいずれか１つに記載の装着型光学装置。
【請求項４３】
前記レンズに結合されるとともに前記レンズを制御する照明制御を含み、
前記照明制御は、前記動的視標追跡機構、前記動的視標追跡機構への前記追加情報、前記拡張現実感視界、手動制御、音声制御のうちの１つ以上に応答する、請求項２から４２のいずれか１つに記載の装着型光学装置。
【請求項４４】
前記照明制御は遮光又は逆遮光要素を含む、請求項４３に記載の装着型光学装置。
【請求項４５】
前記照明制御は、対象物認識要素を含む、請求項４３又は４４に記載の装着型光学装置。
【請求項４６】
前記照明制御は、ディスプレイ、ディスプレイの背景、認識された対象物の視覚エリア、スマートフォン、パーソナルコンピュータ、ラップトップ、デスクトップ、又は携帯機器のうちの１つ以上の対象物認識に応じて前記遮光又は逆遮光要素を作動させる、請求項４３から４５のいずれか１つに記載の装着型光学装置。
【請求項４７】
請求項１から４６のいずれか１つに記載の装置によって実行される方法。